(57)【要約】      （修正有）【課題】複数の分室に分画して収納されている内容物を容易、迅速かつ確実に撹拌して混合物にできるようにする。【解決手段】外周縁部の開放部分を強接着部４として封止して形成した袋体１は、分画接着部５によって２又はそれ以上に区画されている分室９、１０を有している。上記した分画接着部５はその中央部位８よりもよりも上記袋体１の外周縁部に隣接する部位が開封し易い易開封部にされて、混合用複室輸液袋２２となっている。上分画接着部５の中央部位８は開封されないものでもよいし、易開封部の後で開封されるものでもよい。また、上記分画接着部５は、袋体１を斜めに分画するように袋体の外周縁部２に対して傾斜状態になるように設けている。【選択図】図２
2018002181.tif 000002
【特許請求の範囲】
【請求項１】
外周縁部の開放部を強接着部として封止した袋体であって、該袋体は分画接着部によって２又はそれ以上に区画された分室を有し、上記分画接着部はその中央部位よりも上記袋体の外周縁部との隣接部位を易開封部とした混合用複室輸液袋。
【請求項２】
上記分画接着部の上記中央部位は開封性でない請求項１に記載の混合用複室輸液袋。
【請求項３】
上記分画接着部の上記中央部位は上記易開封部に続いて開封される開封性である請求項１に記載の混合用複室輸液袋。
【請求項４】
上記分画接着部は、袋体の外周縁部に対して傾斜状態になるように形成されている請求項１〜３のいずれかに記載の混合用複室輸液袋。
【請求項５】
上記分画接着部は、袋体の外周縁部に対してＳ字状を描く傾斜状態に形成されている請求項１〜３のいずれかに記載の混合用複室輸液袋。
【請求項６】
上記分画接着部に隣接して袋体の外周縁部から袋体の内方に突出する突出部が形成されている請求項１〜５のいずれかに記載の混合用複室輸液袋。
【請求項７】
上記袋体は２つの分室を有し、一方の分室に粉剤を収納し、他方の分室に溶液を収納している請求項１〜６のいずれかに記載の混合用複室輸液袋。
【発明の詳細な説明】
【技術分野】
【０００１】
本発明は、複数の分室に収納されている薬剤などの収納物を混合して使用する混合用複室輸液袋に関する。
【背景技術】
【０００２】
従来より、反応等を避けるために別種の内容物を分画された分室に分離して収納しておき、使用に当って分室を仕切っている易剥離性の接着部を剥して、各分室に収納されている内容物を混合して用いるようにした内容物混合袋が知られている。（特許文献１）
こうした易剥離性の接着部は、全長に亘って同じ接着性を有するように形成されているので、剥離される部位が必ずしも一定せず、また、かなり強い力を加えて分室を連通させる必要がある。
【０００３】
特に、一方の分室に粉剤を収納し、他方の分室に溶液を加えたようなものにおいて、粉剤の溶解性が低いものがあり、例えば、難溶性の薬剤としてペントシリン（富山化学工業株式会社製：ピペラシンナトリウム）、チエナム（ＭＳＤ株式会社製：イミベネム・シラスタチンナトリウム）のようなものがある。
【０００４】
こうしたものの場合には、混合袋の溶液側の分室を強く押圧することによって、易剥離性接着部を剥すように開いて、溶液を粉剤側の分室に流入させ、次に粉剤側の分室を押圧して溶液側の分室に戻すという作業を何回も繰返さなければ、うまく混合できず全体を均一な溶解液にすることに相当の手間を要することが見られた。
【先行技術文献】
【特許文献】
【０００５】
【特許文献１】特開平９−２８６４７０号公報
【発明の概要】
【発明が解決しようとする課題】
【０００６】
本発明は、複数の分室に分画している分画接着部を定位置から剥がれるようにすると共に、分室内に収納されている内容物を、溶け難いようなものであっても、確実に、かつ迅速に撹拌、混合できるようにしようとするものである。
【課題を解決するための手段】
【０００７】
本発明は、外周縁部の開放部分を強接着部として封止して形成した袋体において、該袋体には分画接着部によって２又はそれ以上に区画されている分室を有しており、上記した分画接着部はその中央部位よりも上記袋体の外周縁部に隣接する部位がより開封し易い易開封部にして混合用複室輸液袋としたものである。
上記分画接着部の中央部位は、上記易開封部に続いて開封されたりするようにできるし、又は開封されないように形成することができる。
また、上記分画接着部は、袋体を斜めに分画するように袋体の外周縁部に対して傾斜状態になるように設けるようにすることができる。
【発明の効果】
【０００８】
本発明は、上記したように分画接着部は、袋体の外周縁部に隣接する両端の部位が中央部位よりも開封性の易開封部に形成されているので、各分室に収納されている収納物を混合する場合、一方の分室を押圧すると、両端側の易開封部が先ず剥がれてその部分から収納物が他方の分室に流れ込むようになるが、そのときに剥された部分が狭いので、収納物が渦を巻くようにして他方の分室に流れ込んで行き、撹拌作用が起るようなる。次に、他方の分室を押圧すると、同様に渦を巻きながら元の分室に戻って行くようになり、これを繰返すと渦を巻きながら全体が混ざり合うようになって分室に分納されている収納物が早期に、均一に混ざり合った輸液を得ることができる。
【図面の簡単な説明】
【０００９】
【図１】本発明の実施例を示す正面図である。
【図２】図１に示すものの混合状態を示す説明図である。
【図３】本発明の他の実施例を示す正面図である。
【図４】本発明の更に他の実施例を示す正面図である。
【図５】本発明の他例を示す正面図である。
【図６】本発明の更に他例を示す正面図である。
【図７】本発明の他の実例を示す一部省略正面図である。
【図８】図７に示すものの混合状態を示す説明図である。
【図９】本発明の更に他の実例を示す一部省略正面図である。
【図１０】図９に示すものの混合状態を示す説明図である。
【発明を実施するための形態】
【００１０】
ポリエチレン、ポリプロピレン、ポリエステル、ポリアミドその他のプラスチックフイルム、チューブ、プラスチックラミネートフイルムなどによって袋体１を形成する。上記プラスチックフイルム、チューブなどの内面側は、収納物に影響を及ぼさないものであると共にヒートシール可能な材質で形成するとよい。
【００１１】
上記袋体１において、その外周縁部２の開放部３となっている部位は、接着力の強い強接着部４として、収納物を確実に収納しておくことができるように容易に剥がれないようにしている。
こうした袋体１は、分画接着部５によって複数の分室９，１０に区画されており、各分室には後に混合される収納物１１、１２を区分けして収納するようになっている。
【００１２】
そして、上記分画接着部５は、全体が均一的な接着性を示すものではなく、中央部位８よりも袋体１の外周縁部２に隣接する両端部の接着性がより弱くなっている易開封部６、７となっていて、中央部位８よりも一層剥し易い状態になっている。
【００１３】
図１に示すものは、プラスチックのチューブ体１５の下端部１６を強接着部４として開放部３を封止すると共に、強接着部に輸液の導出部１７を設けている。
チューブ体１５の上部はその上端部１８と、その両側部１９、１９を強接着部４としており、その上端部１８の強接着部には吊孔２０を設けている。
こうした袋体１は、分画接着部５によって、下方の大きな分室９と、上方のこれよりも小さな分室１０に仕切られている。
【００１４】
上記分画接着部５が袋体１の上記両側部１９、１９と繋がる隣接部位では、その中央部位８よりもヒートシールの幅を狭くすることによって、より接着性を弱くした易開封部６、７としている。この場合、シールの幅を同じとしながら接着強度を変えることによって、上記の如き易開封部を形成することもできる。
【００１５】
上記分画接着部５の中央部位８は、上記易開封部６、７が開封された後に、これに引続いて開封されるように形成することができるし、又は中央部位は開封されないように形成することもできる。
上記の分画接着部５は、袋体１に対して真横に伸びるように形成することができるが、図に示すように、袋体１に対して傾斜状態になるように形成すると後記するように好ましいことが多い。
【００１６】
図示する袋体１では、下方の大きな分室９に生理食塩液を１００ｍｌとか、その他の溶液を収納し、上方の小さな分室１０には抗生物質その他の粉剤などを収納するようにしている。
この場合、各分室の強接着部などの一部が非接着状態になっているときに、各分室内に上記の如き所望の収納物を各々収納してから接着することなどによって、各収納物を分室内に各々封入することができる。
こうした上記各分室に収納されている収納物１１、１２は、各分室内において隔離され、分離して収納されているので、各収納物が互いに反応性であったとしても、安定的に収納状態を保持しておくことができる。
【００１７】
図示の輸液袋２２は縦長になっているので、上下に折り畳むようにして保存すると取扱いが便利になるし、更に、折り畳んだ状態のものを外袋に収納したりすると衛生的であり、一層取扱い易くなる。
また、分室内に封入する収納物が光線を嫌うようなものである場合には、分室の外側に遮光シートなどを貼り付けておき、使用する際にこれを引き剥がすようにすると良いこともある。
【００１８】
こうした輸液袋２２を使用する場合、図２に示すように、折畳まれた輸液袋を開いた状態にしてテーブルなどの上に置き、溶液側の分室９の上から強く押さえ付けるようにすると、分画接着部５の易開封部６が剥がされてその部分から溶液が他方の分室１０に流れ込むようになるが、そのとき剥された部分が狭いので溶液は渦を巻くようにしながら他方の分室１０に流れ込んで行き、粉剤に対して撹拌作用を起すようになる。
【００１９】
そして、次に溶液が流入した他分室１０側を押圧すると、分画接着部５の他の易開封部７も剥され、両端部の易開封部６、７の連通部分から同様に渦を巻いて撹拌作用を起しながら元の分室９に流れ込んで行くようになる。
こうした作業を繰返すと、収納されていた溶液は渦を起しながら撹拌されて紛体とより早く混ざり合うようになり、各室に収納されている収納物が均一状態に混ざり合った輸液を手軽に得ることができる。
【００２０】
そして、上記中央部位８も開封性である場合には、上記易開封部６、７を通じて両分室９、１０間に溶液を往復させていると混ざり合った収納物によって、上記分画接着部は両端部の易開封部６、７から次第に中央部位８へと剥されて行って両分室９、１０間の連通部分が広がり、全部が剥されるようになって良好に混合することができるようにもなる。
上記のようにして各分室内に収納されていた収納物が均一的に撹拌されて混合された輸液は、導出部１７から点滴などによって患者に供給することができる。
【００２１】
図３に示すものは、上記分画接着部５の傾斜状態の程度を大きくしたものであり、これによって分画接着部５の端部の易開封部６、７の引き剥がしを一層容易にすることができるようになり、使い勝手がよいことがある。
また、図４に示すものは、上記分画接着部５を略Ｓ字状としたものを、その傾斜状態の程度を大きくしたものであって、溶液の流れがよりスムーズになることがあり、上記したものと同様にして使用することができる。そして、この分画接着部は上記したものの他、波形状、Ｗ形状の他必要に応じてその他の適宜の形状にすることができる。
【００２２】
図５のものは、分画接着部５の易開封部６の近傍に、上記強接着部４が分室１０の内方に突出するような凸出部２４を設けたものである。上記分画接着部５の易開封部６が引き剥がされたとき、一方の分室９から他方の分室１０に侵入する溶液は、上記凸出部２４に衝突するようになり、これによって溶液の流れは乱されて一層複雑な渦流が生じるようになり、これによって撹拌、混合の作用をより効率的に行うことができるようになる。
【００２３】
図６に示すものは、袋体の上端部１８の強接着部４の中央部から分室１０内に突出するように凸出部２５を形成したものであり、分画接着部５の易開封部６、７から流入し、分室１０の内端壁２６に沿って流れる溶液がこの凸出部２５に衝突することによって、流れが邪魔されて渦流が生ずるようになり、撹拌作用を向上させることができるようになる。
【００２４】
図７、図８に示すものは、袋体１の周囲を強接着部４に形成したものであり、分画接着部５の易開封部６の近傍に上記強接着部４が分室１０の内方に突出するような凸出部２７を設け、易開封部７の近傍に上記強接着部４が分室９の内方に突出するような凸出部２８を設けたものである。
上記分画接着部５の易開封部６、７が引き剥がされたとき、一方の分室９から他方の分室１０に侵入する溶液、及び分室１０から分室９に戻る溶液は、上記凸出部２７、２８に衝突し、上記と同様に溶液の流れは乱されて一層複雑な渦流が生じるようになり、より効率的な撹拌、混合の作用を行うことができるようになる。
【００２５】
図９、図１０に示すものは、袋体の上端部１８の強接着部４の中央部から分室１０内に突出するように凸出部３０を、及び下端部１６の強接着部４の中央部から分室９内に突出するように凸出部３１を形成したものであり、分画接着部５の易開封部６、７から流入し、分室１０の内端壁２６、分室９の内端壁２９に沿って流れる溶液がこの凸出部３０、３１に衝突することによって、流れが乱されて渦流が生ずるようになり、より撹拌作用を向上させることができるようになる。
【００２６】
上記には、主として分室に収納する収納物として、紛体と溶液の組合せについて述べてきたが、溶液と溶液、粘稠液と粘稠液、粘稠液と溶液の組合せにおいても同様に使用することができるし、分画接着部によって３つ以上の分室に区画形成し、各分室のものを順次、又は一度に混ぜ合わせるようにすることもできる。
また、上記には上下、左右などの用語が一部使用されているが、これは絶対的な位置関係を示すものではなく、理解を容易にするための相対的な位置関係を示すものである。
【符号の説明】
【００２７】
１    袋体
４    強接着部
５    分画接着部
６，７    易開封部
８    中央部位
９，１０    分室
１５    チューブ体
１６    下端部
１７    導出部
１８    上端部
２２    輸液袋
２４，２５，２７，２８，３０，３１    凸出部
【図１】
2018002181.tif 000003
【図２】
2018002181.tif 000004
【図３】
2018002181.tif 000005
【図４】
2018002181.tif 000006
【図５】
2018002181.tif 000007
【図６】
2018002181.tif 000008
【図７】
2018002181.tif 000009
【図８】
2018002181.tif 000010
【図９】
2018002181.tif 000011
【図１０】
2018002181.tif 000012
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
外周縁部の開放部を強接着部として封止した袋体であって、該袋体は分画接着部によって２又はそれ以上に区画された分室を有し、上記分画接着部はその中央部位よりも上記袋体の外周縁部との隣接部位を易開封部とし、上記中央部位は上記易開封部に続いて開封される開封性である混合用複室輸液袋。
【請求項２】
上記分画接着部は、袋体の外周縁部に対して傾斜状態になるように形成されている請求項１に記載の混合用複室輸液袋。
【請求項３】
上記分画接着部は、袋体の外周縁部に対してＳ字状を描く傾斜状態に形成されている請求項２に記載の混合用複室輸液袋。
【請求項４】
上記分画接着部に隣接して袋体の外周縁部から袋体の内方に突出する突出部が形成されている請求項１〜３のいずれかに記載の混合用複室輸液袋。
【請求項５】
上記袋体は２つの分室を有し、一方の分室に粉剤を収納し、他方の分室に粉剤用の溶液を収納している請求項１〜４のいずれかに記載の混合用複室輸液袋。